(57)【特許請求の範囲】
【請求項１】
ケーシング（20）と、
上記ケーシング（20）に固定された電動機（30）と、
上記電動機（30）に連結され、上下方向に延びる駆動軸（40）と、
上記駆動軸（40）によって駆動され、流体を圧縮する圧縮機構（50）と、
上記駆動軸（40）の内部に形成され、上記ケーシング（20）の底部の油が上記電動機（30）よりも上方の上記駆動軸（40）の摺動部へ供給される軸内給油路（45）とを備えた圧縮機であって、
上記駆動軸（40）の内部に形成され、上記電動機（30）の上方から下方まで延びる軸内排油路（46）と、
上記駆動軸（40）の下端に連結され、上記駆動軸（40）の摺動部へ供給された後の油を、上記軸内排油路（46）を介して上記ケーシング（20）の底部へ排出する排油ポンプ（81b）と、
上記ケーシング（20）の底部の油を上記軸内給油路（45）へ供給すると共に、上記排油ポンプ（81b）と２連ポンプを構成する給油ポンプ（81a）とを備え、
上記給油ポンプ（81a）は、容量が上記排油ポンプ（81b）の容量よりも大きい
ことを特徴とする圧縮機。
【請求項２】
ケーシング（20）と、
上記ケーシング（20）に固定された電動機（30）と、
上記電動機（30）に連結され、上下方向に延びる駆動軸（40）と、
上記駆動軸（40）によって駆動され、流体を圧縮する圧縮機構（50）と、
上記駆動軸（40）の内部に形成され、上記ケーシング（20）の底部の油が上記電動機（30）よりも上方の上記駆動軸（40）の摺動部へ供給される軸内給油路（45）とを備えた圧縮機であって、
上記駆動軸（40）の内部に形成され、上記電動機（30）の上方から下方まで延びる軸内排油路（46）と、
上記駆動軸（40）の下端に連結され、上記駆動軸（40）の摺動部へ供給された後の油を、上記軸内排油路（46）を介して上記ケーシング（20）の底部へ排出する排油ポンプ（81b）と、
上記駆動軸（40）の上記電動機（30）よりも下側部分を回転可能に支持する下部軸受け部材（70）と、
上記下部軸受け部材（70）に形成され、上記軸内排油路（46）の流出端と上記排油ポンプ（81b）の吸入口とに連通する軸外排油路（72,73）とを備えている
ことを特徴とする圧縮機。
【請求項３】
請求項２において、
上記ケーシング（20）の底部の油を上記軸内給油路（45）へ供給すると共に、上記排油ポンプ（81b）と２連ポンプを構成する給油ポンプ（81a）を備えている
ことを特徴とする圧縮機。
【請求項４】
請求項１において、
上記駆動軸（40）の上記電動機（30）よりも下側部分を回転可能に支持する下部軸受け部材（70）と、
上記下部軸受け部材（70）に形成され、上記軸内排油路（46）の流出端と上記排油ポンプ（81b）の吸入口とに連通する軸外排油路（72,73）とを備えている
ことを特徴とする圧縮機。
【発明の詳細な説明】
【技術分野】
【０００１】
本発明は、冷媒を圧縮する圧縮機に関し、特にモータ効率低下の回避策に係るものである。
【背景技術】
【０００２】
従来より、冷媒を圧縮する圧縮機が知られている。特許文献１には、この種のスクロール式の圧縮機が開示されている。
【０００３】
特許文献１に開示の圧縮機は、ケーシングの内面に電動機が固定され、この電動機に駆動軸が連結されている。そして、駆動軸の上部には、スクロール式の圧縮機構が連結されている。この圧縮機構では、固定スクロールに対して可動スクロールが偏心回転することで、圧縮室内の冷媒が圧縮される。
【０００４】
この圧縮機では、圧縮動作中、ケーシング底部の油溜まりの油が、駆動軸内の給油路を介して電動機よりも上方のピン軸受や上部主軸受に供給され、これら摺動部の潤滑を行う。そして、潤滑し終えた油は、ハウジングの外側へ排出された後、油戻しガイドによって、電動機の固定子の外周面に形成されたコアカットとケーシングとの間の隙間に案内され、その隙間の下端から落下して油溜まりへ排出される。
【先行技術文献】
【特許文献】
【０００５】
【特許文献１】特開２０１０−２８５９３０号公報
【発明の概要】
【発明が解決しようとする課題】
【０００６】
しかし、特許文献１の圧縮機のように、電動機のコアカットとケーシングとの間の隙間を油戻し通路として用いると、通路面積を確保するために、固定子の断面積を小さくしなければならず、その結果、モータ効率が低下してしまうという問題があった。
【０００７】
本発明は、かかる点に鑑みてなされたものであり、その目的は、モータ効率を低下させることなく、各摺動部に供給した油を確実に油溜まりへ戻すことのできる圧縮機を提供することである。
【課題を解決するための手段】
【０００８】
第１の発明は、ケーシング（20）と、上記ケーシング（20）に固定された電動機（30）と、上記電動機（30）に連結され、上下方向に延びる駆動軸（40）と、上記駆動軸（40）によって駆動され、流体を圧縮する圧縮機構（50）と、上記駆動軸（40）の内部に形成され、上記ケーシング（20）の底部の油が上記電動機（30）よりも上方の上記駆動軸（40）の摺動部へ供給される軸内給油路（45）とを備えた圧縮機を対象としている。そして、この圧縮機は、上記駆動軸（40）の内部に形成され、上記電動機（30）の上方から下方まで延びる軸内排油路（46）と、上記駆動軸（40）の下端に連結され、上記駆動軸（40）の摺動部へ供給された後の油を、上記軸内排油路（46）を介して上記ケーシング（20）の底部へ排出する排油ポンプ（81b）と、上記ケーシング（20）の底部の油を上記軸内給油路（45）へ供給すると共に、上記排油ポンプ（81b）と２連ポンプを構成する給油ポンプ（81a）とを備え、上記給油ポンプ（81a）は、容量が上記排油ポンプ（81b）の容量よりも大きいことを特徴とする。
【０００９】
上記第１の発明では、電動機（30）よりも上方の摺動部に供給された油が、排油ポンプ（81b）によって軸内排油路（46）に吸い込まれ、その軸内排油路（46）を介して電動機（30）の下方まで搬送された後、ケーシング（20）の底部に排出される。そのため、従来のように、油を電動機（30）のコアカット（34）とケーシング（20）との間の隙間を介してケーシング（20）の底部に戻す必要がなくなる。
【００１０】
また、給油ポンプ（81a）が設けられ、この給油ポンプ（81a）が排油ポンプ（81b）と２連ポンプを構成している。そのため、ケーシング（20）の底部の油が軸内給油路（45）を介して摺動部へ確実に供給されると共に、油を給排するシステムが小さく形成される。
【００１１】
また、給油ポンプ（81a）の容量が排油ポンプ（81b）の容量よりも大きいため、排油切れが抑制され、冷媒が軸内排油路（46）内へ吸い込まれる恐れが低減される。
【００１２】
第２の発明は、ケーシング（20）と、上記ケーシング（20）に固定された電動機（30）と、
上記電動機（30）に連結され、上下方向に延びる駆動軸（40）と、上記駆動軸（40）によって駆動され、流体を圧縮する圧縮機構（50）と、上記駆動軸（40）の内部に形成され、上記ケーシング（20）の底部の油が上記電動機（30）よりも上方の上記駆動軸（40）の摺動部へ供給される軸内給油路（45）とを備えた圧縮機を対象としている。そして、この圧縮機は、上記駆動軸（40）の内部に形成され、上記電動機（30）の上方から下方まで延びる軸内排油路（46）と、上記駆動軸（40）の下端に連結され、上記駆動軸（40）の摺動部へ供給された後の油を、上記軸内排油路（46）を介して上記ケーシング（20）の底部へ排出する排油ポンプ（81b）と、上記駆動軸（40）の上記電動機（30）よりも下側部分を回転可能に支持する下部軸受け部材（70）と、上記下部軸受け部材（70）に形成され、上記軸内排油路（46）の流出端と上記排油ポンプ（81b）の吸入口とに連通する軸外排油路（72,73）とを備えていることを特徴とする。
【００１３】
上記第２の発明では、電動機（30）の下方で、給油が駆動軸（40）内の軸内給油路（45）で行われる一方、排油が駆動軸（40）外の軸外排油路（72,73）で行われる。そのため、排油ポンプ（81b）周辺の各流路（45,72,73）の取り回しが容易になる。
【００１４】
第３の発明は、第２の発明において、上記ケーシング（20）の底部の油を上記軸内給油路（45）へ供給すると共に、上記排油ポンプ（81b）と２連ポンプを構成する給油ポンプ（81a）を備えていることを特徴とする。
【００１５】
上記第３の発明では、給油ポンプ（81a）が設けられ、この給油ポンプ（81a）が排油ポンプ（81b）と２連ポンプを構成している。そのため、ケーシング（20）の底部の油が軸内給油路（45）を介して摺動部へ確実に供給されると共に、油を給排するシステムが小さく形成される。
【００１６】
第４の発明は、上記第１の発明において、上記駆動軸（40）の上記電動機（30）よりも下側部分を回転可能に支持する下部軸受け部材（70）と、上記下部軸受け部材（70）に形成され、上記軸内排油路（46）の流出端と上記排油ポンプ（81b）の吸入口とに連通する軸外排油路（72,73）とを備えていることを特徴とする。
【００１７】
上記第４の発明では、電動機（30）の下方で、給油が駆動軸（40）内の軸内給油路（45）で行われる一方、排油が駆動軸（40）外の軸外排油路（72,73）で行われる。そのため、排油ポンプ（81b）周辺の各流路（45,72,73）の取り回しが容易になる。
【発明の効果】
【００１８】
本発明によれば、電動機（30）よりも上方の摺動部に供給された後の油を、排油ポンプ（81b）で軸内排油路（46）に吸い込んだ後、この軸内排油路（46）を介して電動機（30）の下方まで搬送し、ケーシング（20）の底部へ排出するようにした。そのため、従来のように、油を電動機（30）のコアカット（34）とケーシング（20）との間の隙間を介してケーシング（20）の底部に戻す必要がなくなる。よって、油戻し通路の確保のためにコアカット（34）を大きくして、固定子の断面積を小さくする必要がなくなり、モータ効率の低下を回避することができる。
【００１９】
上記第１及び第３の発明によれば、ケーシング（20）の底部から軸内給油路（45）へ給油する給油ポンプ（81a）を設け、この給油ポンプ（81a）と排油ポンプ（81b）によって２連ポンプを構成するようにした。これにより、上記摺動部への給油を確実に行うと共に、油を給排するシステムの小型化を図ることができる。
【００２０】
上記第１の発明によれば、給油ポンプ（81a）の容量を排油ポンプ（81b）の容量よりも大きくするようにした。これにより、給油量を排油量よりも多くすることができ、各軸受部（ピン軸受部（58）、主軸受部（37）、及び下部軸受部（71））の摺動部に正常に給油されずに冷媒ガスが入り込み、その結果、摺動部の潤滑性が低下するのを抑制することができる。
【００２１】
上記第２及び第４の発明によれば、下部軸受け部材（70）に軸外排油路（72,73）を形成するようにした。これにより、電動機（30）の下方において、給油は駆動軸（40）内の軸内給油路（45）で行う一方、排油は駆動軸（40）外の軸外排油路（72,73）で行うことができ、排油ポンプ（81b）周辺の各流路（45,72,73）の取り回しを容易にすることができる。
【図面の簡単な説明】
【００２２】
【図１】図１は、実施形態１に係る圧縮機の縦断面図であり、油の流れを白抜きの矢印で表したものである。
【図２】図２は、実施形態１に係る圧縮機の油ポンプ周辺の拡大図である。
【図３】図３は、実施形態１に係る油ポンプの分解斜視図である。
【図４】図４は、実施形態１の変形例１に係る圧縮機の油ポンプ周辺の拡大図である。
【図５】図５は、実施形態１の変形例３に係る圧縮機の油ポンプ周辺の拡大図である。
【図６】図６は、実施形態２に係る圧縮機の油ポンプ周辺の拡大図である。
【図７】図７は、実施形態２の変形例１に係る圧縮機の油ポンプ周辺の拡大図である。
【図８】図８は、実施形態３に係る圧縮機の縦断面図である。
【図９】図９は、実施形態３に係る圧縮機の油ポンプ周辺の拡大図である。
【発明を実施するための形態】
【００２３】
《発明の実施形態１》
以下、本発明の実施形態１について図１〜図３を参照しながら詳細に説明する。本発明の実施形態１に係る圧縮機（10）は、スクロール式の圧縮機である。圧縮機（10）は、図示しない冷凍装置の冷媒回路に接続されている。この冷凍装置では、圧縮機（10）で圧縮された冷媒が、凝縮器（放熱器）で放熱し、減圧機構で減圧される。減圧された冷媒は、蒸発器で蒸発して圧縮機（10）に吸入される。即ち、冷凍装置の冷媒回路では、冷媒が循環して蒸気圧縮式の冷凍サイクルが行われる。
【００２４】
図１に示すように、圧縮機（10）は、ケーシング（20）、電動機（30）、駆動軸（40）、及び圧縮機構（50）とを備えている。
【００２５】
ケーシング（20）は、縦長の円筒状の密閉容器で構成されている。ケーシング（20）は、軸方向の両端が開放する円筒状の胴部（21）と、該胴部（21）の軸方向の一端（上端）を閉塞する第１鏡板部（22）と、胴部（21）の軸方向の他端（下端）を閉塞する第２鏡板部（23）とを有している。第２鏡板部（23）の下側には、ケーシング（20）を支持する脚部（24）が形成されている。
【００２６】
電動機（30）は、ケーシング（20）の内周壁に固定される固定子（31）と、該固定子（31）の内部に挿通される回転子（33）とを有している。固定子（31）は、略筒状の固定子コア（32）と、該固定子コア（32）に巻回される巻き線（図示省略）とを有している。固定子コア（32）は、その外周面がケーシング（20）の内周面に固定されている。固定子コア（32）の外周面には、固定子コア（32）を軸方向に貫通するコアカット（34）が形成されている。また、回転子（33）は、略筒状に形成され、その内部に駆動軸（40）が挿通されて連結する。
【００２７】
駆動軸（40）は、上記ケーシング（20）の胴部（21）の上端から該ケーシング（20）の底部に亘って、該ケーシング（20）の軸方向（上下方向）に延びている。駆動軸（40）の下端には、油ポンプ（81）が固定されている。駆動軸（40）の内部には、軸内給油路（45）と軸内排油路（46）が形成されている。尚、油ポンプ（81）、軸内給油路（45）、及び軸内排油路（46）については、後で詳述する。
【００２８】
圧縮機構（50）は、駆動軸（40）によって駆動され、冷媒回路の冷媒（低圧ガス冷媒）を圧縮するものである。この圧縮機構（50）は、ハウジング（35）、可動スクロール（55）、固定スクロール（60）、及び自転阻止部材（39）を備えている。
【００２９】
ハウジング（35）は、上下に延びる略円筒状の部材であり、その外周面がケーシング（20）の胴部（21）の内周面に接合されている。ハウジング（35）には、駆動軸（40）が挿入され、その下側部分に主軸受部（37）が形成されている。この主軸受部（37）には、滑り軸受け（37a）が嵌め込まれており、この滑り軸受け（37a）によって駆動軸（40）の主軸部（41）が回転自在に支持されている。
【００３０】
また、ハウジング（35）の上側部分には、ハウジング（35）の上端面を凹陥してなる軸方向視略円状の凹部（36）が形成されている。この凹部（36）の内部には、駆動軸（40）のピン軸部（42）が主軸部（41）の上端面から上方に突出して収容されている。ピン軸部（42）は、駆動軸（40）の主軸部（41）よりも小径に構成されている。ピン軸部（42）の軸心は、駆動軸（40）の主軸部（41）の軸心に対して偏心している。
【００３１】
尚、上記ハウジング（35）の上面には、可動スクロール（55）の自転阻止部材（39）が設けられる。自転阻止部材（39）は、例えばオルダム継手で構成されている。自転阻止部材（39）は、可動スクロール（55）の可動側鏡板部（56）とハウジング（35）とに、摺動自在に嵌め込まれている。
【００３２】
可動スクロール（55）は、可動側鏡板部（56）、可動側ラップ（57）、及びピン軸受部（58）を有している。可動側鏡板部（56）は、円板状に形成されている。可動側鏡板部（56）の厚さ方向の一端側（上端側）には、可動側ラップ（57）が立設している。この可動側ラップ（57）は、渦巻き状に形成されている。可動側鏡板部（56）の他端側（下端側）には、径方向の中心部位に筒状のピン軸受部（58）が形成されている。ピン軸受部（58）には、滑り軸受け（58a）が嵌め込まれており、ピン軸部（42）を回転自在に支持している。
【００３３】
固定スクロール（60）は、固定側鏡板部（61）、外縁部（62）、及び固定側ラップ（63）を有している。固定側鏡板部（61）は、円板状に形成されている。この固定側鏡板部（61）には、可動スクロール（55）側の面に、外縁部（62）と固定側ラップ（63）とが立設している。
【００３４】
外縁部（62）は、固定スクロール（60）の外周端部に形成され、筒状に形成されている。可動スクロール（55）の可動側鏡板部（56）の軸方向端面（図１における上端面）は、この外縁部（62）の軸方向端面（図１における下端面）と摺接し、これによりスラスト面が形成される。固定側ラップ（63）は、外縁部（62）の内部に配置され、渦巻き状に形成されている。固定側ラップ（63）は、可動側ラップ（57）と噛合する。
【００３５】
圧縮機構（50）では、可動スクロール（55）と固定スクロール（60）との間に、冷媒を圧縮する圧縮室（C）が区画される。固定スクロール（60）の固定側鏡板部（61）には、吐出ポート（64）と吐出チャンバ（65）とが形成されている。この吐出ポート（64）は、固定側鏡板部（61）の径方向中心部に形成され、圧縮室（C）に連通している。吐出チャンバ（65）は、吐出ポート（64）の流出端に接続している。この吐出チャンバ（65）は、吐出流路（図示省略）を通じて、ケーシング（20）内におけるハウジング（35）の下側の空間に連通している。つまり、ハウジング（35）の下側の空間は、高圧の吐出冷媒で満たされる高圧空間（25）を構成している。
【００３６】
圧縮機（10）のケーシング（20）には、吸入管（27）と吐出管（28）とが接続されている。吸入管（27）は、冷媒回路の低圧ガスラインに接続され、補助吸入孔（図示省略）を介して圧縮室（C）と連通している。吐出管（28）は、ケーシング（20）の胴部（21）を径方向に貫通している。吐出管（28）の流出端は、冷媒回路の高圧ガスラインに接続している。吐出管（28）の流入端は、高圧空間（25）におけるハウジング（35）と電動機（30）との間に開口している。高圧空間（25）では、高圧冷媒中に含まれる油が、ケーシング（20）の底部に溜まる。つまり、ケーシング（20）の底部には、圧縮機（10）の内部の各摺動部を潤滑するための油が溜まる油溜まり（26）が形成される。
【００３７】
図２に示すように、ケーシング（20）底部の油溜まり（26）の近傍には、下部軸受け部材（70）が設けられている。この下部軸受け部材（70）は、上下に延びる略円筒状の部材であり、その外周面が外方に突出してケーシング（20）の内周面に固定されている。下部軸受け部材（70）には、駆動軸（40）が挿入され、上側部分に下部軸受部（71）が形成されている。この下部軸受部（71）には、滑り軸受け（71a）が嵌め込まれており、この滑り軸受け（71a）によって駆動軸（40）が回転自在に支持されている。
【００３８】
下部軸受け部材（70）の下側部分には、下部軸受け部材（70）の下端面を凹陥してなる軸方向視略円状の凹部（72）が形成されている。そして、下部軸受け部材（70）の下端面には、凹部（72）を閉塞するように、油ポンプ（81）が取り付けられている。
【００３９】
〈油給排機構〉
本実施形態の圧縮機（10）は、油溜まり（26）の油を駆動軸（40）の各摺動部へ供給し、各摺動部へ供給された後の油を油溜まり（26）へ排出する油給排機構（80）を備えている。この油給排機構（80）は、油ポンプ（81）、軸内給油路（45）、及び排油路（90）を備えている。
【００４０】
（油ポンプ）
油ポンプ（81）は、いわゆる２連のトロコイド式の容積ポンプで構成されている。図２及び図３に示すように、この油ポンプ（81）は、下部軸受け部材（70）の下端面にボルト（84）で固定されており、スラストプレート（75）、ポンプケース（82）、ポンプカバー（83）、ポンプシャフト（85）、下側アウターロータ（86）、下側インナーロータ（87）、上側アウターロータ（88）、及び上側インナーロータ（89）を備えている。
【００４１】
スラストプレート（75）は、略円板状に形成され、駆動軸（40）と摺接して駆動軸（40）のスラスト力を受けるものである。このスラストプレート（75）の径方向中心部には、ポンプシャフト（85）を挿入するための挿入孔（76）が形成されている。また、スラストプレート（75）の外周部には、油を排出するための排出口（77）が形成されている。
【００４２】
ポンプケース（82）は、上下方向に延びた略円筒状の部材であり、上面に上方に突出した外周縁部（82a）が形成されている。このポンプケース（82）は、外周縁部（82a）の内側にスラストプレート（75）を嵌め込んだ状態で、スラストプレート（75）の下面に固定されている。また、ポンプケース（82）には、上面のほぼ中央部に略円状に凹陥された上側ケース内流路（82b）が形成され、下面のほぼ中央部に略円状に凹陥された下側ケース内流路（82c）が形成されている。
【００４３】
ポンプカバー（83）は、略円板状に形成されている。このポンプカバー（83）の中央部には、上方に延びるポンプシャフト（85）が回転自在に支持されている。このポンプシャフト（85）は、ポンプケース（82）の内周孔（82d）とスラストプレート（75）の挿入孔（76）に下から挿入され、挿入された状態で、ポンプカバー（83）がポンプケース（82）の下面に固定されている。
【００４４】
ポンプシャフト（85）は、駆動軸（40）の下端部に形成された流入口（45a）に、筒状保持部材（49）を介して連結している。これにより、ポンプシャフト（85）は、駆動軸（40）と一体的に回転する。
【００４５】
下側アウターロータ（86）は、下側ケース内流路（82c）内に嵌合している。下側アウターロータ（86）は、略円環状に形成され、その内周面に複数の略円弧状（より厳密にはトロコイド曲線形状）の外側歯部（86a）が形成されている。複数の外側歯部（86a）は、周方向に等間隔置きに配列され、下側インナーロータ（87）側に向かって膨出している。
【００４６】
下側インナーロータ（87）は、略円環状に形成され、ポンプシャフト（85）の外側に嵌合している。具体的に、下側インナーロータ（87）の内側には、軸直角断面が略Ｄ字状の保持穴（87a）が形成されている。この保持穴（87a）の平坦面（87b）にポンプシャフト（85）の平坦壁（85a）が係合することで、下側インナーロータ（87）はポンプシャフト（85）と一体的に回転する。下側インナーロータ（87）の外周面には、下側アウターロータ（86）の外側歯部（86a）に対応するように、複数の内側歯部（87c）が形成されている。即ち、油ポンプ（81）では、各内側歯部（87c）と各外側歯部（86a）とが互いに歯合する。これにより、内側歯部（87c）と外側歯部（86a）との間には、油を搬送するための容積室（V1）が形成される。
【００４７】
また、ポンプカバー（83）には、ポンプシャフト（85）の外周側に、略三日月状の吸入口（83a）が形成されている。この吸入口（83a）の流入端は、油溜まり（26）に開口し、吸入口（83a）の流出端は、ポンプケース（82）の下側ケース内流路（82c）に開口している。また、ポンプシャフト（85）の内部には、径方向中継路（85b）と軸方向中継路（85c）が形成されている。径方向中継路（85b）は、ポンプシャフト（85）を径方向に貫通し、流入端がポンプケース（82）の下側ケース内流路（82c）に開口している。軸方向中継路（85c）は、ポンプシャフト（85）の上部を軸方向に貫通している。この軸方向中継路（85c）の流入端は、径方向中継路（85b）に連通し、軸方向中継路（85c）の流出端は、ポンプシャフト（85）の上端面に開口して、駆動軸（40）内部の軸内給油路（45）に連通している。
【００４８】
油ポンプ（81）の下側部分は、給油ポンプ部（81a）を構成している。給油ポンプ部（81a）では、油溜まり（26）の油が、ポンプカバー（83）の吸入口（83a）から流入し、下側ケース内流路（82c）内の両ロータ（86,87）間の容積室（V1）を通過した後、径方向中継路（85b）と軸方向中継路（85c）を通過して、軸内給油路（45）に供給される。この、給油ポンプ部（81a）は、本発明の給油ポンプを構成している。
【００４９】
上側アウターロータ（88）は、上側ケース内流路（82b）内に嵌合している。この上側アウターロータ（88）は、下側アウターロータ（86）と概ね同じ形状である。
【００５０】
上側インナーロータ（89）は、ポンプシャフト（85）の外側に嵌合している。この上側インナーロータ（89）は、下側インナーロータ（87）と概ね同じ形状である。そして、上側インナーロータ（89）の各内側歯部（89a）と上側アウターロータ（88）の各外側歯部（88a）とは互いに歯合し、これにより、内側歯部（89a）と外側歯部（88a）との間には、油を搬送するための容積室（V2）が形成される。下側の２つのロータ（86,87）間の容積室（V1）は、この上側の２つのロータ（88,89）間の容積室（V2）よりも大きくなっている。
【００５１】
スラストプレート（75）の排出口（77）は、上端（流入端）が下部軸受け部材（70）の凹部（72）に開口し、下端（流出端）がポンプケース（82）の上側ケース内流路（82b）に開口している。また、ポンプケース（82）には、横方向に延びて内外を貫通する排出通路（82e）が形成されており、この排出通路（82e）の内側端（流入端）は、上側ケース内流路（82b）に開口し、排出通路（82e）の外側端（流出端）は、ポンプケース（82）の外周面に開口している。
【００５２】
油ポンプ（81）の上側部分は、排油ポンプ部（81b）を構成している。排油ポンプ部（81b）では、排油路（90）の一部を構成する下部軸受け部材（70）の凹部（72）からスラストプレート（75）の排出口（77）を介して油が上側ケース内流路（82b）へ流入し、上側ケース内流路（82b）内の両ロータ（88,89）間の容積室（V2）を通過した後、排出通路（82e）を通過して、ケーシング（20）底部の油溜まり（26）へ排出される。この排油ポンプ部（81b）は、本発明の排油ポンプを構成している。
【００５３】
（軸内給油路）
軸内給油路（45）は、油溜まり（26）の油を、油ポンプ（81）の給油ポンプ部（81a）を介して、駆動軸（40）の各摺動部へ導くものである。この軸内給油路（45）は、図１に示すように、流入口（45a）、主給油路（45b）、上側流出口（45c）、及び下側流出口（45d）を有している。
【００５４】
流入口（45a）は、油ポンプ（81）の軸方向中継路（85c）に連通している。
【００５５】
主給油路（45b）は、流入口（45a）に連通して駆動軸（40）の軸方向に延び、駆動軸（40）の上端面（ピン軸部（42）の上端面）に開口している。
【００５６】
上側流出口（45c）は、主給油路（45b）から径方向外方に延びてハウジング（35）の主軸受部（37）に開口している。上側流出口（45c）から主軸受部（37）へ流出した油は、主軸受部（37）の滑り軸受け（37a）と駆動軸（40）との間の摺動部へ供給される。
【００５７】
下側流出口（45d）は、主給油路（45b）から径方向外方に延びて下部軸受け部材（70）の下部軸受部（71）に開口している。下側流出口（45d）から下部軸受部（71）へ流出した油は、下部軸受部（71）の滑り軸受け（71a）と駆動軸（40）との間の摺動部へ供給される。
【００５８】
また、駆動軸（40）の上端面と可動側鏡板部（56）の下面との間には、油連絡室（48）が形成されている。この油連絡室（48）は、駆動軸（40）側で主給油路（45b）とピン軸流路（図示省略）に連通し、可動側鏡板部（56）側で油路（56a）に連通している。ピン軸流路は、ピン軸部（42）とピン軸受部（58）の滑り軸受け（58a）との間に上下方向に形成され、上端が油連絡室（48）に開口し、下端がハウジング（35）の凹部（36）に開口している。ピン軸流路へ流入した油は、ピン軸受部（58）の滑り軸受け（58a）と駆動軸（40）との間の摺動部へ供給される。油路（56a）は、可動側鏡板部（56）内に形成され、上端が可動側鏡板部（56）の上面に開口し、下端が可動側鏡板部（56）の下面に開口して油連絡室（48）に連通している。
【００５９】
（排油路）
排油路（90）は、駆動軸（40）の各摺動部へ供給された後の油を、油ポンプ（81）の排油ポンプ部（81b）へ導くものである。この排油路（90）は、主軸受け排油路（35a）と、軸内排油路（46）と、下部軸受け部材（70）の凹部（72）とを有している。
【００６０】
主軸受け排油路（35a）は、主軸受部（37）の滑り軸受け（37a）の摺動部へ供給された後の油をハウジング（35）の凹部（36）へ導くものであり、ハウジング（35）内に滑り軸受け（37a）に沿って上下方向に形成されている。この主軸受け排油路（35a）の流入端（下端）は、滑り軸受け（37a）の下端に位置する駆動軸（40）の外周溝（47）に連通している。一方、主軸受け排油路（35a）の流出端（上端）は、凹部（36）に開口している。
【００６１】
軸内排油路（46）は、ハウジング（35）の凹部（36）内の油を、電動機（30）の下方にある下部軸受け部材（70）の凹部（72）へ導くものである。ハウジング（35）の凹部（36）内の油とは、具体的に、主軸受け排油路（35a）から流出した油とピン軸流路から流出した油である。この軸内排油路（46）は、流入口（46a）、主排油路（46b）、排出口（46c）を有している。
【００６２】
流入口（46a）は、流入端がハウジング（35）の凹部（36）に開口し、流出端が主排油路（46b）に連通している。
【００６３】
主排油路（46b）は、駆動軸（40）の上端面（ピン軸部（42）の上端面）から軸方向に延び、途中で流入口（46a）に連通している。この主排油路（46b）の上端は、埋栓されている。
【００６４】
排出口（46c）は、主排油路（46b）の下端から横方向に延び、下部軸受け部材（70）の凹部（72）に開口している。
【００６５】
下部軸受け部材（70）の凹部（72）は、軸内排油路（46）から流入した油を、スラストプレート（75）の排出口（77）へ導くものである。この凹部（72）は、本発明の軸外排油路を構成している。
【００６６】
−運転動作−
圧縮機（10）の基本的な運転動作について、図１を参照しながら説明する。圧縮機（10）の運転時には、電動機（30）が通電されて回転子（33）が回転する。これに伴い駆動軸（40）が回転し、ピン軸部（42）が主軸部（41）に対して偏心回転する。その結果、圧縮機構（50）で圧縮動作が行われる。
【００６７】
具体的に、圧縮機構（50）では、可動スクロール（55）が自転することなしに公転運動する。そうすると、冷媒回路の冷媒（低圧ガス冷媒）は、吸入管（27）から、低圧空間、補助吸入孔を経由して圧縮機構（50）の内部に吸い込まれる。圧縮機構（50）では、固定側ラップ（63）の外周側から冷媒が吸い込まれる。可動スクロール（55）が更に旋回すると、固定側ラップ（63）と可動側ラップ（57）との間に、閉空間となる圧縮室（C）が区画される。この圧縮室（C）は、その容積を次第に縮小しながら固定スクロール（60）の中心部に近づいていく。これにより、圧縮室（C）で冷媒が圧縮される。この圧縮室（C）が吐出ポート（64）と連通すると、圧縮室（C）内の冷媒が吐出ポート（64）を通じて吐出チャンバ（65）に吐出される。
【００６８】
吐出チャンバ（65）に吐出された冷媒（高圧ガス冷媒）は、吐出流路（図示省略）を通じて、高圧空間（25）へ送られる。高圧空間（25）の冷媒は、吐出管（28）を通じてケーシング（20）の外部の冷媒回路へ送られる。
【００６９】
〈油の給排動作〉
次いで、圧縮機（10）における油の給排動作について、図１及び図２を参照しながら説明する。上記のように圧縮機（10）が運転されると、駆動軸（40）の回転に伴い油ポンプ（81）も駆動される。油ポンプ（81）では、図２に示す下側インナーロータ（87）が、下側アウターロータ（86）の内部を回転する。これにより、容積室（V1）の容積が拡縮し、油溜まり（26）の油が油ポンプ（81）の給油ポンプ部（81a）内に吸い込まれる。
【００７０】
具体的に、油溜まり（26）の油は、ポンプカバー（83）の吸入口（83a）を介して下側ケース内流路（82c）内の容積室（V1）に吸い込まれる。容積室（V1）の油は、下側ケース内流路（82c）から径方向中継路（85b）、軸方向中継路（85c）の順に流れ、軸内給油路（45）の流入口（45a）に流入する。
【００７１】
図１に示すように、軸内給油路（45）の流入口（45a）に流入した油は、主給油路（45b）を上昇する。そして、その油の一部は、下側流出口（45d）を通じて下部軸受部（71）へ供給され、滑り軸受け（71a）と駆動軸（40）との間の摺動部が潤滑される。そして、残りの油が主給油路（45b）を更に上昇すると、その油の一部が上側流出口（45c）を通じて主軸受部（37）へ供給され、滑り軸受け（37a）と駆動軸（40）との間の摺動部が潤滑され、その後、油は主軸受け排油路（35a）を通ってハウジング（35）の凹部（36）に流出する。そして、残りの油が主給油路（45b）を更に上昇すると、油連絡室（48）に流出する。
【００７２】
油連絡室（48）に流出した油は、一部が油路（56a）へ流入し、残りがピン軸流路へ流入する。油路（56a）へ流入した油は、固定スクロール（60）と可動スクロール（55）との間のスラスト面や、両ラップ（57,63）の隙間に供給される。一方、ピン軸流路へ流入した油は、ピン軸受部（58）に供給されて、滑り軸受け（58a）と駆動軸（40）との間の摺動部が潤滑され、その後、油は、ハウジング（35）の凹部（36）に流出する。
【００７３】
この時、油ポンプ（81）では、図２に示す上側インナーロータ（89）が、上側アウターロータ（88）の内部を回転する。これにより、容積室（V2）の容積が拡縮するため、凹部（36）に流出した油は、流入口（46a）から軸内排油路（46）へ吸い込まれる。
【００７４】
軸内排油路（46）に流入した油は、電動機（30）の下方にある下部軸受け部材（70）の凹部（72）へ流出し、油ポンプ（81）の排油ポンプ部（81b）へ流入する。排油ポンプ部（81b）に流入した油は、上側ケース内流路（82b）内の容積室（V2）に吸い込まれた後、ポンプケース（82）の排出通路（82e）を通過して、ケーシング（20）底部の油溜まり（26）へ排出される。
【００７５】
−実施形態の効果−
本実施形態によれば、電動機（30）より上方のピン軸受部（58）や主軸受部（37）の摺動部に供給された後の油を、油ポンプ（81）の給油ポンプ部（81a）によって軸内排油路（46）内に吸い込んだ後、この軸内排油路（46）を通して電動機（30）の下方まで搬送し、油溜まり（26）へ排出するようにした。そのため、従来のように、油を電動機（30）のコアカットとケーシング（20）との間の隙間を介して電動機（30）の下方まで搬送して、ケーシング（20）の底部に戻す必要がなくなる。よって、油戻し通路の確保のためにコアカットを大きくして、固定子（31）の断面積を小さくする必要がなくなり、モータ効率の低下を回避することができる。
【００７６】
また、本実施形態によれば、２連の油ポンプ（81）によって、油溜まり（26）から軸内給油路（45）へ給油するとともに、排油路（90）から油溜まり（26）へ排油するようにした。これにより、油の給排を確実に行うことができると共に、油を給排するシステムの小型化を図ることができる。
【００７７】
また、本実施形態によれば、油ポンプ（81）において、給油ポンプ部（81a）のポンプ容量（容積室（V1）の容積）を排油ポンプ部（81b）のポンプ容量（容積室（V2）の容積）よりも大きくするようにした。これにより、給油量を排油量よりも多くすることができ、各軸受部（ピン軸受部（58）、主軸受部（37）、及び下部軸受部（71））の摺動部に正常に給油されずに冷媒ガスが入り込み、その結果、摺動部の潤滑性が低下するのを抑制することができる。
【００７８】
また、本実施形態によれば、下部軸受け部材（70）の凹部（72）を軸内排油路（46）に連通する軸外排油路として用いるようにした。これにより、電動機（30）の下方において、給油を駆動軸（40）内の軸内給油路（45）で行う一方、排油を駆動軸（40）外の軸外排油路で行うことができ、油ポンプ（81）周辺の各流路の取り回しを容易にすることができる。
【００７９】
〈実施形態１の変形例〉
上記実施形態に係る油給排機構（80）を以下のような各変形例の構成としてもよい。
【００８０】
−変形例１−
変形例１に係る圧縮機（10）は、上記実施形態１において、油ポンプ（81）の給油ポンプ部（81a）の構成を変更したものである。つまり、上記実施形態１の給油ポンプ部（81a）は、容積ポンプで構成されていたが、変形例１の給油ポンプ部（81a）は、図４に示すように、差圧ポンプで構成するようにした。
【００８１】
具体的に、変形例１の油ポンプ（81）は、ポンプケース（82）に下側ケース内流路（82c）が形成されておらず、上側ケース内流路（82b）のみが形成されている。また、筒状保持部材（49）を介して駆動軸（40）の流入口（45a）に連結されるポンプシャフト（85）が、下方に延長され、油溜まり（26）に開口している。このポンプシャフト（85）には、上下方向に貫通する吸込路（85d）が形成されている。
【００８２】
変形例１の給油ポンプ部（81a）では、油溜まり（26）の油が、ポンプシャフト（85）の吸込路（85d）に直接流入する。この時、油溜まり（26）の油は、油溜まり（26）に作用する圧力、つまり、高圧空間（25）の圧力と軸内給油路（45）の圧力との差圧によって、ポンプシャフト（85）内に吸い込まれ、軸内給油路（45）に供給される。一方、排油路（90）の油は、上記実施形態１と同様に、スラストプレート（75）の排出口（77）を介して排油ポンプ部（81b）の上側ケース内流路（82b）へ流入し、上側ケース内流路（82b）内の容積室（V2）に吸い込まれた後、ポンプケース（82）の排出通路（82e）を通過して、油溜まり（26）へ流出する。
【００８３】
−変形例２−
上記実施形態１の油ポンプ（81）は、給油ポンプ部（81a）を遠心ポンプで構成するようにしても構わない。
【００８４】
−変形例３−
上記実施形態１では、軸内排油路（46）を下部軸受け部材（70）の凹部（72）に開口し、軸内排油路（46）の油を凹部（72）を介してスラストプレート（75）の排出口（77）へ流入するようにしている。つまり、軸外排油路を下部軸受け部材（70）の凹部（72）によって構成している。しかし、軸外排油路は、下部軸受け部材（70）に形成されていれば良く、例えば、図５に示すように、下部軸受部（71）の内周面に開口して、軸内排油路（46）に連通する一方、下部軸受け部材（70）の下面に開口してスラストプレート（75）の排出口（77）に連通する排出通路（73）を軸外排油路としても構わない。
【００８５】
《発明の実施形態２》
実施形態２に係る圧縮機（10）は、上記実施形態１において、排油路（90）から油ポンプ（81）の排油ポンプ部（81b）への油の導入方法を変更したものである。つまり、上記実施形態１では、スラストプレート（75）の外周部の排出口（77）を介して油を導入していたが、実施形態２では、図６に示すように、スラストプレート（75）の中央部の挿入孔（76）を介して油を導入するようにした。
【００８６】
具体的に、実施形態２のスラストプレート（75）には、上面に形成され、径方向に延びて内側端が挿入孔（76）に連通するスリット溝（75a）と、挿入孔（76）の途中から径方向外方へ延びる横路（75b）と、その横路（75b）の途中から下方に延びてスラストプレート（75）の下面に開口する排出口（75c）が形成されている。
【００８７】
実施形態２では、排油路（90）の最下流である下部軸受け部材（70）の凹部（72）に流出した油は、スラストプレート（75）上面のスリット溝（75a）に沿って流れて挿入孔（76）へ流入し、横路（75b）、排出口（75c）の順に流れて、排油ポンプ部（81b）の上側ケース内流路（82b）に流入する。そのため、油を駆動軸（40）とスラストプレート（75）との間のスラスト面に強制的に流すことができ、その結果、スラスト面の潤滑状態を改善することができる。
【００８８】
〈実施形態２の変形例〉
上記実施形態に係る油給排機構（80）を以下のような各変形例の構成としてもよい。
【００８９】
−変形例１−
変形例１に係る圧縮機（10）は、上記実施形態２において、油ポンプ（81）の給油ポンプ部（81a）の構成を変更したものである。つまり、上記実施形態２の給油ポンプ部（81a）は、容積ポンプで構成されていたが、変形例１の給油ポンプ部（81a）は、図７に示すように、差圧ポンプで構成するようにした。
【００９０】
具体的に、変形例１の油ポンプ（81）は、ポンプケース（82）に下側ケース内流路（82c）が形成されておらず、上側ケース内流路（82b）のみが形成されている。また、筒状保持部材（49）を介して駆動軸（40）の流入口（45a）に連結されるポンプシャフト（85）が、下方に延長され、油溜まり（26）に開口している。このポンプシャフト（85）には、上下方向に貫通する吸込路（85d）が形成されている。
【００９１】
変形例１の給油ポンプ部（81a）では、油溜まり（26）の油が、ポンプシャフト（85）の吸込路（85d）に直接流入する。この時、油溜まり（26）の油は、油溜まり（26）に作用する圧力、つまり、高圧空間（25）の圧力と軸内給油路（45）の圧力との差圧によって、ポンプシャフト（85）内に吸い込まれ、軸内給油路（45）に供給される。一方、排油路（90）の油は、上記実施形態２と同様に、スラストプレート（75）の挿入孔（76）、横路（75b）、排出口（75c）の順に流れて、排油ポンプ部（81b）の上側ケース内流路（82b）内の容積室（V2）に吸い込まれた後、ポンプケース（82）の排出通路（82e）を通過して、油溜まり（26）へ流出する。
【００９２】
−変形例２−
上記実施形態２の油ポンプ（81）は、給油ポンプ部（81a）を遠心ポンプで構成するようにしても構わない。
【００９３】
《発明の実施形態３》
実施形態３に係る圧縮機（10）は、上記実施形態１において、下部軸受部（71）の軸受けの種類と、３つの軸受部（ピン軸受部（58）、主軸受部（37）、及び下部軸受部（71））に対する給油順序を変更したものである。つまり、上記実施形態１では、下部軸受部（71）に滑り軸受け（71a）を嵌め込み、下部軸受部（71）、主軸受部（37）、ピン軸受部（58）の順に給油していたが、実施形態３では、図８及び図９に示すように、下部軸受部（71）に転がり軸受け（71b）を嵌め込み、主軸受部（37）、ピン軸受部（58）、下部軸受部（71）の順に給油するようにした。
【００９４】
具体的に、実施形態３の転がり軸受け（71b）は、片シール型のボールベアリングであって、内輪部（71c）、外輪部（71d）、複数のボール（71e）、及びシール部（71f）を有している。内輪部（71c）は、駆動軸（40）の外周面に固定されている。外輪部（71d）は、内輪部（71c）の径方向外側に対向して配置されている。ボール（71e）は、内輪部（71c）と外輪部（71d）との間に回転自在に保持されている。転がり軸受け（71b）では、内輪部（71c）とボール（71e）との間、あるいはボール（71e）と外輪部（71d）との間に摺動部が形成されている。シール部（71f）は、ボール（71e）の下方において、外輪部（71d）から内輪部（71c）へ延びる板材であって、外輪部（71d）と内輪部（71c）との隙間を塞いでいる。
【００９５】
実施形態３の軸内給油路（45）は、上記実施形態１及び実施形態２の軸内給油路（45）と異なり、下側流出口（45d）が形成されていない。そのため、油ポンプ（81）の給油ポンプ部（81a）から軸内給油路（45）の流入口（45a）へ流入した油は、下部軸受部（71）の転がり軸受け（71b）へ供給されることなく、主給油路（45b）を上昇する。
【００９６】
実施形態３の排油路（90）は、軸外排油路として排出通路（73）を備えている。排出通路（73）は、下部軸受け部材（70）の内部に形成されており、上流路（73a）と下流路（73b）とを有している。
【００９７】
上流路（73a）は、下部軸受け部材（70）の内部において、転がり軸受け（71b）の上側に径方向に形成されている。この上流路（73a）は、その内周側の端部が下部軸受部（71）の内周面に開口して、軸内排油路（46）に連通している。さらに、この上流路（73a）は、下側に位置する転がり軸受け（71b）の内輪部（71c）と外輪部（71d）との隙間に連通している。
【００９８】
下流路（73b）は、下部軸受け部材（70）の外周部分に、上下方向に形成されている。この下流路（73b）は、その上端が上流路（73a）の外周側の端部に連通し、その下端が下部軸受け部材（70）の下面に開口して、スラストプレート（75）の排出口（77）に連通している。
【００９９】
実施形態３では、油ポンプ（81）の給油ポンプ部（81a）から軸内給油路（45）へ流入した油が、下部軸受部（71）へ供給されずに主給油路（45b）を上昇し、主軸受部（37）とピン軸受部（58）とへ供給される。主軸受部（37）及びピン軸受部（58）では、供給された油によって摺動部が潤滑される。
【０１００】
その後、主軸受部（37）及びピン軸受部（58）へ供給された後の油は、軸内排油路（46）へ流入して軸内排油路（46）内を下降し、その後、排出通路（73）へ流入すると、油の一部が下部軸受部（71）の転がり軸受け（71b）へ供給される。転がり軸受け（71b）では、内輪部（71c）と外輪部（71d）との隙間へ油が入り込み、摺動部が潤滑される。一方、残りの油は、油ポンプ（81）の排油ポンプ部（81b）へ流入し、ケーシング（20）底部の油溜まり（26）へ排出される。
【０１０１】
以上のように、実施形態３では、主軸受部（37）、ピン軸受部（58）、下部軸受部（71）の順に給油が行われる。つまり、主軸受部（37）とピン軸受部（58）への給油が、下部軸受部（71）よりも上流側で行われる。そのため、上流側の主軸受部（37）とピン軸受部（58）では、給油量を十分に確保し易くすることができ、その結果、給油量が不足して磨耗や焼付きが生じるのを防止することができる。一方、下流側の下部軸受部（71）では、給油量を少量にし易くすることができ、滑り軸受けよりも油を必要としない転がり軸受け（71b）への給油量が過剰となるのを防止することができる。つまり、これら３つの軸受部（37,58,71）へ適正な量の油を供給して、圧縮機（10）の信頼性を高めることができる。
【０１０２】
なお、以上の実施形態は、本質的に好ましい例示であって、本発明、その適用物、あるいはその用途の範囲を制限することを意図するものではない。
【産業上の利用可能性】
【０１０３】
以上説明したように、本発明は、冷媒を圧縮する圧縮機に関し、特に、駆動軸内に、油溜まりの油を電動機の上方の摺動部へ供給する給油路が形成された圧縮機について有用である。
【符号の説明】
【０１０４】
20    ケーシング
30    電動機
40    駆動軸
45    軸内給油路
46    軸内排油路
50    圧縮機構
70    下部軸受け部材
72    凹部（軸外排油路）
73    排出通路（軸外排油路）
81a   給油ポンプ部（給油ポンプ）
81b   排油ポンプ部（排油ポンプ）
【図１】
0005488644.tif 000002
【図２】
0005488644.tif 000003
【図３】
0005488644.tif 000004
【図４】
0005488644.tif 000005
【図５】
0005488644.tif 000006
【図６】
0005488644.tif 000007
【図７】
0005488644.tif 000008
【図８】
0005488644.tif 000009
【図９】
0005488644.tif 000010